(57)【特許請求の範囲】
【請求項１】
ＲＤＳ放送を受信するためのＲＤＳデコーダを含むＦＭ受信部と、
ディジタルオーディオ放送を受信するためのＤＡＢ受信部と、
操作部への操作により変更可能に構成され、前記ＲＤＳ放送と前記ディジタルオーディオ放送の優先順位を決定する優先順位決定手段と、
前記ＲＤＳ放送及び前記ディジタルオーディオ放送で放送される特定番組の聴取を指定する指定手段と、
前記指定手段の指定と、前記優先順位とに基づき、前記優先順位の高い放送で放送される前記特定番組を優先して出力する制御をなす制御部と、
を備えたディジタル放送受信システムであって、
前記制御部は、前記優先順位の高い放送にて前記特定番組が受信可能か否かを判定し
前記特定番組が受信不可能な場合にのみ、前記優先順位の低い放送にて前記特定番組が受信可能か否かを判定することを特徴とするディジタル放送受信システム。
【請求項２】
前記制御部は、前記特定番組が受信可能な場合に、前記特定番組の開始を判定することを特徴とする請求項１記載のディジタル放送受信システム。
【発明の詳細な説明】
【０００１】
【発明の属する技術分野】
本発明は、ディジタル放送受信システムに関し、特に、欧州で既に実用の段階に入っているディジタルオーディオ放送（Ｄｉｇｉｔａｌ  Ａｕｄｉｏ  Ｂｒｏａｄｃａｓｔｉｎｇ；以下、ＤＡＢと称する）を少なくとも受信する受信システムに関する。
【０００２】
【従来の技術】
ディジタル音声信号を含む所定フォーマットのデータ信号を有する放送波を送信し、これを受信するシステムとして、欧州規格（Ｅｕｒｅｋａ  １４７）に準拠したＤＡＢシステムがある。ＤＡＢでは、１つのアンサンブルが複数のサービスで構成され、各サービスも英語やドイツ語といった複数のコンポーネントで構成される。
【０００３】
図３は、ＤＡＢシステムのサービス構成例であり、アンサンブル１を構成するサービス（この場合３つ）と各コンポーネント（この場合６つ）と実際にＤＡＢ局から伝送されるＯＦＤＭ信号とのリンクを示す図である。
【０００４】
ＤＡＢ局から伝送されるＯＦＤＭ信号は、ＦＩＣ（Ｆａｓｔ  Ｉｎｆｏｒｍａｔｉｏｎ                Ｃｈａｎｎｅｌ  ；高速情報チャネル）とＭＳＣ（Ｍａｉｎ  Ｓｅｒｖｉｃｅ  Ｃｈａｎｎｅｌ）とに分けられる。
【０００５】
ＭＳＣを構成する各サブチャンネル（ＳｕｂＣｈ０〜６３）は上記のコンポーネントと対応関係を有し、ＦＩＣには、アンサンブルで利用可能なサービスの情報や、サービス、コンポーネント、サブチャンネル間のリンクを示す情報が含まれる。
【０００６】
よって、ＤＡＢでは、あるアンサンブルが受信されれば、そのアンサンブルに含まれる複数のサービス、コンポーネントに関する情報を得ることができ、受信周波数を変更することなく異なるサービス、コンポーネントへ瞬時に切り替えることが可能となる。
【０００７】
この放送を受信するＤＡＢ受信機の利用法の１つとして、交通情報等の特定番組への割り込み受信機能があげられる。以下この機能について説明すると、ＤＡＢでは、ＦＩＣに含まれる各種の情報データの中に、受信中のサービスが交通情報や緊急情報といった特定の番組をサポートするか否かを示す情報、番組が実際に放送中であることを示す情報を含ませることができる。ＤＡＢでは、この特定番組としてアラーム（Ａｌａｒｍ  ）、ロードトラフィックフラッシュ（Ｒｏａｄ    Ｔｒａｆｆｉｃ  ｆｌａｓｈ  ）、ニュースフラッシュ（Ｎｅｗｓ  ｆｌａｓｈ）といった番組が規定されている。
【０００８】
よって、受信機に特定番組の優先受信を行う機能をオン／オフする操作手段を備え、使用者が、この優先受信の機能を実行するように受信機を設定すると、受信機は、選択中のサービスで特定番組が始まったことをＦＩＣ中のＡＳＷ（        Ａｎｎｏｕｎｃｅｍｅｎｔ  Ｓｗｉｔｃｈｉｎｇ）フラグより判定し、この放送を現在再生中のソース（例えばＣＤ）に代えて優先的にスピーカより再生する割り込み処理を実行す
る。
【０００９】
他方、このような割り込み機能を実現するための情報は、ＲＤＳ（Ｒａｄｉｏ          Ｄａｔａ  Ｓｙｓｔｅｍ  ）でも採用されており、ＲＤＳ受信機では、交通情報をサポートするか否かを示すＴＰフラグ、交通情報の開始、終了を示すＴＡフラグを用いて同様の割り込み機能を実現していた。
【００１０】
よって、ＲＤＳデコーダを備えたＦＭ受信機とＤＡＢ受信機とを含む受信システムにおいては、特定番組の開始を各々の受信機で独立して判定することができるので、いずれかの受信機で指定の番組が始まった場合、その受信機の再生音声を優先してスピーカから出力するといった制御を行うことが可能となる。
【００１１】
【発明が解決しようとする課題】
ところが、かかる受信システムでは、同一番組がＦＭ放送とＤＡＢ放送とで同時に開始される場合、どちらを受信するかという問題が生じる。ＦＭ放送とＤＡＢ放送とでは音質が全く異なりＤＡＢ放送の方が高音質なので、単純に先に番組の開始を検出した方を再生するような制御手法をとることは望ましくない。
【００１２】
特に、ＤＡＢ放送は、ＦＭ放送よりエンコードに時間が掛かると思われるた  め、ＦＭ放送を先に検出する可能性は高く、より高音質なＤＡＢ放送でも同一の番組が放送されるにも関わらず、ＦＭ放送の再生音声をスピーカより再生してしまうという問題が生じる。
【００１３】
例えば、ＤＡＢ放送に対してのみ割り込み制御機能をオンするように制御すれば、一応この問題は解決するが、今度はＦＭ放送で特定番組が放送されているにも関わらず、これに割り込めないという問題が生じる。
【００１４】
以上の点に鑑みて、本発明は、特定番組がＦＭ放送とＤＡＢ放送とで開始される場合であっても確実にＤＡＢ放送を選択することができる受信システムを提供することを目的とする。
【００１５】
また、本発明は、いずれか一方の放送でしか特定番組が放送されない場合であっても確実に割り込みがなされる受信システムを提供することを目的とする。
【００１６】
【課題を解決するための手段】
請求項１記載の発明によれば、ＲＤＳ放送を受信するためのＲＤＳデコーダを含むＦＭ受信部と、ディジタルオーディオ放送を受信するためのＤＡＢ受信部と、操作部への操作により変更可能に構成され、前記ＲＤＳ放送と前記ディジタルオーディオ放送の優先順位を決定する優先順位決定手段と、前記ＲＤＳ放送及び前記ディジタルオーディオ放送で放送される特定番組の聴取を指定する指定手段と、前記指定手段の指定と、前記優先順位とに基づき、前記優先順位の高い放送で放送される前記特定番組を優先して出力する制御をなす制御部と、を備えたディジタル放送受信システムであって、前記制御部は、前記優先順位の高い放送にて前記特定番組が受信可能か否かを判定し前記特定番組が受信不可能な場合にのみ、前記優先順位の低い放送にて前記特定番組が受信可能か否かを判定することを特徴とする。
【００１８】
請求項２記載の発明によれば、請求項１記載のディジタル放送受信システムであって、前記制御部は、前記特定番組が受信可能な場合に、前記特定番組の開始を判定することを特徴とする。
【００１９】
【発明の実施の形態】
以下、本発明の実施の形態を図面を参照しつつ詳細に説明する。図１は、本発明の実施の形態であるＲＤＳ受信部を備えたディジタル放送受信システムのブロック図である。受信システムは、ディジタル放送を受信するためのＤＡＢ受信部と、ＲＤＳ放送を受信するためのＦＭ受信部と、システム制御部１と、切り替え部２と、アンプ３と、スピーカ４と、記憶部５と、ＣＤプレーヤ３１とで構成される。
【００２０】
ＤＡＢ受信部には、ＤＡＢ局への同調制御をなすＤＡＢ−ＦＥ（ＤＡＢ用フロントエンド）１１と受信アナログ信号をディジタル信号に変換するＡ／Ｄ変換器１２と、ＯＦＤＭ波を復調するためのＦＦＴ（高速フーリエ変換）部１３、誤り訂正のためのビタビ復号部１４、圧縮された音声データ（Ｍｕｓｉｃａｍ  Ｄａｔａ）を元のオーディオデータに復元するための音声デコーダ（Ｍｕｓｉｃａｍ  Ｄｅｃｏｄｅｒ  ）１５などが含まれるが、各部の具体的な構成は種々の文献で公知となっているので、ここでは詳述しない。
【００２１】
ＦＭ受信部は、ＦＭ局への同調制御を行うためのＦＭ−ＦＥ（ＦＭ用フロントエンド）２１、中間周波数（ＩＦ）信号を増幅し、この信号からコンポジット信号を検波するためのＦＭ検波器２２、コンポジット信号からＲＤＳ信号を抽出して、これを復調するＲＤＳデコーダ２３などが含まれるが、かかる構成も種々の文献で公知となっているので、ここでは詳述しない。さらにＲＤＳデコーダ２３は、デコードしたデータをシステム制御部１に出力する。
【００２２】
システム制御部１は、ＤＡＢ受信部、ＦＭ受信部の制御を行うと共に、ＤＡＢ受信部から前述のＦＩＣ情報を読み込み、かかるデータに含まれる各種の情報データを記憶部５に記憶する。記憶される情報には、アンサンブルで利用可能なサービスの情報や、サービス、コンポーネント、サブチャンネル間のリンクを示す情報、ＦＭ局に関する情報（ＰＩコード、ＦＩ（Ｆｒｅｑｕｅｎｃｙ  Ｉｎｆｏｒｍａｔｉｏｎ  ）リスト情報）、特定番組をサポートするか否かを示す情報であるＡｓｕ（                    Ａｎｎｏｕｎｃｅｍｅｎｔ  ｓｕｐｐｏｒｔ）情報、特定番組の開始を判定するための情報であるＡｓｗ情報などが含まれる。
【００２３】
システム制御部１は、さらに、切り替え部２の制御を行う。基本的には、ＤＡＢ放送にて特定番組が開始されたことを検出した場合には、ＣＤなどの他ソースが選択されている場合であってもＤＡＢ受信部の再生音声を選択出力し、ＦＭ放送にて特定番組が開始されたことを検出した場合には、同様にＦＭ受信部の再生音声を選択出力する。出力された再生音声はアンプ３で増幅され、スピーカ４から出力される。以上がディジタル放送受信システムの概要である。
【００２４】
次に、本発明に関わるシステム制御部１の動作を詳細に説明する。図２は、特定番組への優先的な割り込みをなすためのフローチャートである。なお、本フローチャートは、特定番組への割り込み機能をＯＮする旨の指示が使用者により入力されたことを受けて定期的に実行されるものとする。
【００２５】
使用者により特定番組への割り込み機能をＯＮする旨の指示が入力されると、システム制御部１は、ステップＳ１にて、優先順位がＤＡＢとＲＤＳのどちらに設定されているかを判定する。
【００２６】
優先順位がＲＤＳに設定されている場合は、ＲＤＳ放送で指定の特定番組がサポートされているかを判定する（ステップＳ２）。具体的には、受信中のＲＤＳ局のＴＰコードを判別することでこの判定を行うことができる。なお、優先順位の設定は、初期状態ではＤＡＢ優先であるが、操作部の操作にてＲＤＳ優先に変更可能である。
【００２７】
ＲＤＳ放送が特定番組をサポートする場合、その特定番組がＲＤＳ放送にて開始されたか否かを判定する（ステップＳ３）。具体的には、受信中のＲＤＳ局のＴＡコードを判別することでこの判定を行うことができる。
【００２８】
ＲＤＳ放送にて特定番組が始まったことが検出されると、ＲＤＳ受信部の再生音声出力をスピーカ４より出力するべく、切り替え部２に対して切り替え信号を出力する（ステップＳ４）。
【００２９】
この結果、例えばＣＤプレーヤ３１の再生音声が切り替え部２にて選択されていたとしても優先的にＦＭ受信機の再生音声が選択される、いわゆる割り込み受信が行われる。
【００３０】
ステップＳ３にて、現時点でＲＤＳ放送で特定番組が始まっていないことが検出されると、今回の処理を終了する。
【００３１】
他方、優先順位がＤＡＢに設定されているとステップＳ１で判定される場合には、ステップＳ２とは逆に、ＤＡＢ放送で指定の特定番組がサポートされているかを判定する（ステップＳ５）。具体的には、受信したＦＩＣデータ中のＡｓｕ情報に基づいてこの判定は行われる。
【００３２】
ＤＡＢ放送が特定番組をサポートする場合、その特定番組がＤＡＢ放送にて開始されたか否かを判定する（ステップＳ６）。これも、受信したＦＩＣデータ中のＡｓｗ情報に基づいて判定することができる。
【００３３】
ＤＡＢ放送にて特定番組が始まったことが検出されると、該当する番組の音声を選択してスピーカ４より出力するべく、切り替え部２に対して切り替え信号を出力する（ステップＳ７）ことで割り込み受信が行われる。
【００３４】
次に、本発明の特徴的な部分について説明する。本発明では、ステップＳ２にてＲＤＳ放送が特定番組をサポートしないと判定される場合には、ステップＳ９に移行してＤＡＢ放送が特定番組をサポートしているかを判定し、ＤＡＢ放送が特定番組をサポートしている場合は、特定番組がＤＡＢ放送にて開始されたか否かを判定し（ステップＳ６）、同様に、ステップＳ５にてＤＡＢ放送が特定番組をサポートしないと判定される場合には、ステップＳ８に移行してＲＤＳ放送が特定番組をサポートしているかを判定し、ＲＤＳ放送が特定番組をサポートしている場合は、ステップＳ３に移行して特定番組がＲＤＳ放送にて開始されたか否かを判定するように構成している。
【００３５】
したがって、優先順が下位の放送は優先順位が上位の放送で特定番組がサポートされていないと判定される時にのみ考慮されることになるので、ＤＡＢ放送を優先するように予め設定しておけば、ＤＡＢ放送が特定番組をサポートする限りＲＤＳ放送は考慮されないことになる。よって、同時にまたはＲＤＳ放送が若干早く特定番組の放送を開始したとしても、常にＤＡＢ放送を聴取することが可能となる。また、いずれかの放送のみでしか特定番組が放送されないような場合であっても確実に割り込みを行うことが可能となる。
【００３６】
なお、上記の実施形態では、交通情報を割り込み対象として説明したが、これに限らず、ニュースといった他の番組内容でも同様の処理が可能である。この場合、ＲＤＳ放送では、交通情報以外の番組に対してＴＰコードに相当するコードが割り振られていないので、図２のステップＳ２を削除した制御を行うことになる。
【００３７】
また、上記の実施形態では、指定の特定番組をＤＡＢ放送とＲＤＳ放送とも同じ番組内容（交通情報）として説明したが、これに限らず、指定されている番組が複数あり、例えば、ＤＡＢ放送で指定のニュース番組が始まりＲＤＳ放送でも指定の交通情報番組が始まった場合にも同様にＤＡＢ放送の方を優先することができる。
【００３８】
【発明の効果】
以上説明したように、本発明によれば、特定番組が複数の放送波で同時に開始された場合であっても、優先度の高い放送波の再生音声を常に聴取することができる。
【図面の簡単な説明】
【図１】本発明の実施の形態であるディジタル放送受信システムのブロック図である。
【図２】システム制御部１が実行するフローチャートである。
【図３】ＤＡＢシステムのサービス構成例である。
【符号の説明】
１    ・・・・  システム制御部
２    ・・・・  切り替え部
３    ・・・・  アンプ
４    ・・・・  スピーカ
５    ・・・・  記憶部
１１  ・・・・  フロントエンド
１２  ・・・・  Ａ／Ｄ変換器
１３  ・・・・  ＦＦＴ
１４  ・・・・  ビタビ復号器
１５  ・・・・  ミュージカムデコーダ
２１  ・・・・  フロントエンド
２２  ・・・・  検波器
２３  ・・・・  ＲＤＳデコーダ
【図１】
0003591810.tif 000002
【図２】
0003591810.tif 000003
【図３】
0003591810.tif 000004